(57)【要約】【課題】より確実な防水機能を有する防水機器を提供する。【解決手段】防水機器としてのデジタルカメラ１において、カメラ本体２側に設けられた電池収納室２ａと、該収納室を開閉する電池蓋５と、該電池蓋に設けられ、該電池蓋が閉じられたときに収納室２ａの開口部２ｂを囲う防水シール部材であって、開口部２ｂ周りを囲う内壁面７ｄを有する枠状に形成され、該電池蓋が閉方向に移行し、開口部２ｂの当接平面部２ｃに当接したとき、内壁面７ｄに直交する断面において、先端部７ｂが当接平面部２ｃと当接して開口部２ｂの外方に向かって変位する防水パッキン７と、カメラ本体２側に設けられ、開口部２ｂ近傍に設けられ、防水パッキン７の先端部７ｂが当接平面部２ｃに当接すると、該先端部近傍が接触し、全周に亘って開口部２ｂの外方に誘導されるように形成されたガイド凸部２ｄとを具備する。【選択図】図６
2011187653.tif 000002
【特許請求の範囲】
【請求項１】
防水機器において、
上記防水機器の本体側に設けられた凹部と、
上記凹部に対し開閉する蓋部材と、
上記蓋部材が閉じられたときに上記凹部の口元を囲うための防水シール部材であって、上記蓋部材の裏側に設けられ、上記裏側から上記凹部周りの当接面の方向に延びた上記凹部周りを囲う壁を有する枠状に形成され、上記蓋部材が閉方向に移行し、当該防水シール部材が上記当接面に当接したとき、上記蓋部材の裏面および上記壁の壁面に直交する断面において、上記壁の自由端先端が上記当接面と当接して上記凹部の上記口元の外方に向かって変位する防水シール部材と、
上記防水機器の本体側に設けられ、上記凹部の上記口元近傍に設けられた凸部であって、上記防水シール部材の上記先端が上記当接面に当接すると、上記先端が接触し、上記先端が上記口元全周に亘って上記口元から外方に誘導されるように形成された誘導凸部と、
を具備することを特徴とした防水機器。
【請求項２】
防水機器において、
上記防水機器の本体側に設けられた凹部と、
上記凹部に対し開閉する蓋部材と、
上記蓋部材が閉じられたときに上記凹部の口元を囲うための防水シール部材であって、上記蓋部材の裏側に設けられ、上記裏側から上記凹部周りの当接面の方向に延びた上記凹部周りを囲う壁を有する枠状に形成され、上記蓋部材が閉方向に移行し、当該防水シール部材が上記当接面に当接したとき、上記蓋部材の裏面および上記壁の壁面に直交する断面において、上記壁の自由端先端が上記当接面と当接して上記凹部の上記口元の外方に向かって変位する防水シール部材と、
上記防水機器の本体側に設けられ、上記凹部の上記口元近傍に設けられた凸部であって、上記防水シール部材の上記先端が上記当接面に当接する前に、上記先端が上記口元全周に亘って上記口元から外方に誘導されるように上記防水シール部材の上記先端から上記防水シール部材の根元の間の面部分に接触するように形成された誘導凸部と、
を具備することを特徴とした防水機器。
【請求項３】
防水機器において、
上記防水機器の本体側に設けられた凹部と、
上記凹部に対し開閉する蓋部材と、
上記蓋部材が閉じられたときに上記凹部の口元を囲うための防水シール部材であって、上記防水機器の本体側に設けられ、上記口元の外周から上記蓋部材の当接面の方向に延び、上記凹部周りを囲う壁を有する枠状に形成され、上記蓋部材が閉方向に移行し、当該防水シール部材が上記当接面に当接したとき、上記本体側の上記蓋部材と対向する面および上記壁の壁面と直交する断面において、上記壁の自由端先端が上記当接面と当接して上記凹部の上記口元の外方に向かって変位する防水シール部材と、
上記蓋部材の裏面側に設けられ、上記凹部の上記口元近傍に設けられた凸部であって、上記防水シール部材の上記先端が上記当接面に当接すると上記先端が接触し、上記先端が上記口元全周に亘って上記口元から外方に誘導されるように形成された誘導凸部と、
を具備することを特徴とした防水機器。
【請求項４】
防水機器において、
上記防水機器の本体側に設けられた凹部と、
上記凹部に対し開閉する蓋部材と、
上記蓋部材が閉じられたときに上記凹部の口元を囲うための防水シール部材であって、上記防水機器の本体側に設けられ、上記口元の外周から上記蓋部材の当接面の方向に延び、上記凹部周りを囲う壁を有する枠状に形成され、上記蓋部材が閉方向に移行し、当該防水シール部材が上記当接面に当接したとき、上記本体側の上記蓋部材と対向する面および上記壁の壁面と直交する断面において、上記壁の自由端先端が上記当接面と当接して上記凹部の上記口元の外方に向かって変位する防水シール部材と、
上記蓋部材の裏面側に設けられ、上記凹部の上記口元近傍に設けられた凸部であって、上記防水シール部材の上記先端が上記当接面に当接する前に、上記先端が上記口元全周に亘って上記口元から外方に誘導されるように上記防水シール部材の上記先端から上記防水シール部材の根元の間の面部分に接触するように形成された誘導凸部と、
を具備することを特徴とした防水機器。
【請求項５】
上記誘導凸部は、上記蓋部材が上記凹部を閉じたときに上記凹部の全周を囲むように設けられていることを特徴とした上記請求項１乃至４記載の防水機器。
【請求項６】
上記防水シール部材は、矩形状の枠形状に形成されていることを特徴とした上記請求項１乃至４記載の防水機器。
【請求項７】
上記蓋部材は、上記防水機器の本体側に対して回動軸により回動して上記凹部を開閉することを特徴とした上記請求項１乃至６記載の防水機器。
【発明の詳細な説明】
【技術分野】
【０００１】
本発明は、防水機器の凹部のための防水構造に関する。
【背景技術】
【０００２】
従来の防水機器における開閉可能な凹部である電池収納室等の防水構造として、リップ状断面を有するパッキン部材を適用するものでは、図１７の閉鎖状態のパッキン部材まわりの断面図に示すように開閉可能な蓋部材１０２に環状のパッキン部材１０３を配し、筐体１０１の開口部１０１ａ周辺の密閉用接触面１０１ｂに当接させる構造を有している。該パッキン部材１０３は、リップ枠形状のシール部材であり、図１８の蓋開放状態（自由状態）における断面図に示すように、曲げの中立面１０３ｃの根元部１０３ａに対してリップ先端部１０３ｂが外側に偏倚量ε0だけ偏った形状を有している。上記従来の防水構造の類似例として、例えば、特許文献１に開示されたものがある。
【先行技術文献】
【特許文献】
【０００３】
【特許文献１】特開平０５−０２１９６５号公報
【発明の開示】
【発明が解決しようとする課題】
【０００４】
上記従来の防水構造においては、蓋部材１０２が閉鎖方向Ｙ0に操作された場合、図１７のＥ−Ｅ断面を示す図１９にて、パッキン部材１０３の枠の辺部１０３ｄ，１０３ｅの先端部１０３ｂは、密閉接触面１０１ｂに当接し、枠の外方向ａ11，ａ12に滑りながら変位する。しかし、四隅部１０３ｆの先端部１０３ｂは、上記辺部１０３ｄ，１０３ｅの先端部１０３ｂの外方への変位に伴い、逆に枠の内方向ａ13に変位する可能性がある。
【０００５】
上述のように隅部１０３ｆの先端部１０３ｂが内方向ａ13側に変位すると、パッキン部材１０３に内方向ａ13側に膨らむ力が生じることによって、パッキン部材の密閉接触面１０１ｂに対する押圧力が不均一になり、密閉性上、好ましくない状態になる。
【０００６】
本発明は、上述の問題を解決するためになされたものであり、より確実な防水機能を有する防水機器を提供することを目的とする。
【課題を解決するための手段】
【０００７】
上記課題を解決するために本発明の防水機器の一つは、当該防水機器の本体側に設けられた凹部と、上記凹部に対し開閉する蓋部材と、上記蓋部材が閉じられたときに上記凹部の口元を囲うための防水シール部材であって、上記蓋部材の裏側に設けられ、上記裏側から上記凹部周りの当接面の方向に延びた上記凹部周りを囲う壁を有した枠状に形成され、上記蓋部材が閉方向に移行し、当該防水シール部材が上記当接面に当接したとき、上記蓋部材の裏面および上記壁の壁面に直交する断面において、上記壁の自由端先端が上記当接面と当接して上記凹部の上記口元の外方に向かって変位する防水シール部材と、上記防水機器の本体側に設けられ、上記凹部の上記口元近傍に設けられた凸部であって、上記防水シール部材の上記先端が上記当接面に当接すると、上記先端が接触し、上記先端が上記口元全周に亘って上記口元から外方に誘導されるように形成された誘導凸部とを具備する。
【０００８】
本発明の防水機器の他の一つは、当該防水機器の本体側に設けられた凹部と、上記凹部に対し開閉する蓋部材と、上記蓋部材が閉じられたときに上記凹部の口元を囲うための防水シール部材であって、上記蓋部材の裏側に設けられ、上記裏側から上記凹部周りの当接面の方向に延びた上記凹部周りを囲う壁を有した枠状に形成され、上記蓋部材が閉方向に移行し、当該防水シール部材が上記当接面に当接したとき、上記蓋部材の裏面および上記壁の壁面に直交する断面において、上記壁の自由端先端が上記当接面と当接して上記凹部の上記口元の外方に向かって変位する防水シール部材と、上記防水機器の本体側に設けられ、上記凹部の上記口元近傍に設けられた凸部であって、上記防水シール部材の上記先端が上記当接面に当接する前に、上記先端が上記口元全周に亘って上記口元から外方に誘導されるように上記防水シール部材の上記先端から上記防水シール部材の根元の間の面部分に接触するように形成された誘導凸部とを具備する。
【０００９】
本発明の防水機器のさらに他の一つは、当該防水機器の本体側に設けられた凹部と、上記凹部に対し開閉する蓋部材と、上記蓋部材が閉じられたときに上記凹部の口元を囲うための防水シール部材であって、上記防水機器の本体側に設けられ、上記口元の外周から上記蓋部材の当接面の方向に延び、上記凹部周りを囲う壁を有した枠状に形成され、上記蓋部材が閉方向に移行し、当該防水シール部材が上記当接面に当接したとき、上記本体側の上記蓋部材と対向する面および上記壁の壁面と直交する断面において、上記壁の自由端先端が上記当接面と当接して上記凹部の上記口元の外方に向かって変位する防水シール部材と、上記蓋部材の裏面側に設けられ、上記凹部の上記口元近傍に設けられた凸部であって、上記防水シール部材の上記先端が上記当接面に当接すると上記先端が接触し、上記先端が上記口元全周に亘って上記口元から外方に誘導されるように形成された誘導凸部とを具備する。
【００１０】
本発明の防水機器のさらに他の一つは、当該防水機器の本体側に設けられた凹部と、上記凹部に対し開閉する蓋部材と、上記蓋部材が閉じられたときに上記凹部の口元を囲うための防水シール部材であって、上記防水機器の本体側に設けられ、上記口元の外周から上記蓋部材の当接面の方向に延び、上記凹部周りを囲う壁を有した枠状に形成され、上記蓋部材が閉方向に移行し、当該防水シール部材が上記当接面に当接したとき、上記本体側の上記蓋部材と対向する面および上記壁の壁面と直交する断面において、上記壁の自由端先端が上記当接面と当接して上記凹部の上記口元の外方に向かって変位する防水シール部材と、上記蓋部材の裏面側に設けられ、上記凹部の上記口元近傍に設けられた凸部であって、上記防水シール部材の上記先端が上記当接面に当接する前に、上記先端が上記口元全周に亘って上記口元から外方に誘導されるように上記防水シール部材の上記先端から上記防水シール部材の根元の間の面部分に接触するように形成された誘導凸部とを具備する。
【発明の効果】
【００１１】
本発明によると、より確実な防水機能を有する防水機器を提供することができる。
【図面の簡単な説明】
【００１２】
【図１】本発明の第一の実施形態である防水機器としてのデジタルカメラの電池蓋開放状態を示す斜視図
【図２】図１のデジタルカメラにおける電池蓋閉鎖状態における電池収納室開口部周りの断面図
【図３】図２のＹ0方向矢視で示される電池収納室開口部まわりの形状を示す図
【図４】図２のＹ0方向矢視で示される防水パッキンの形状を示す図
【図５】図４の防水パッキンの断面Ｂ′1−Ｂ′1，Ｂ′2−Ｂ′2，Ｂ′3−Ｂ′3の形状を示す図
【図６】図１のデジタルカメラにて電池蓋閉鎖過程におけるガイド凸部の図３の断面Ｂ1−Ｂ1，Ｂ2−Ｂ2，Ｂ3−Ｂ3と防水パッキンの図４の断面Ｂ′1−Ｂ′1，Ｂ′2−Ｂ′2，Ｂ′3−Ｂ′3を示す図であって、図６（Ａ）は、電池蓋閉鎖前の状態を示す図、図６（Ｂ）は、防水パッキンがガイド凸部に接触開始した状態を示す図、図６（Ｃ）は、電池蓋閉鎖状態を示す図
【図７】本発明の第二の実施形態であるカメラの電池収納室防水構造における図２と同等のＹ0方向矢視相当の電池収納室開口部まわりの形状を示す図
【図８】図７の電池収納室防水構造にて電池蓋閉鎖過程におけるガイド凸部の図７の断面Ｂ11−Ｂ11，Ｂ31−Ｂ31と防水パッキンの図４の断面Ｂ′1−Ｂ′1，Ｂ′3−Ｂ′3を示す図であって、図８（Ａ）は、電池蓋閉鎖前の状態を示す図、図８（Ｂ）は、防水パッキンがガイド凸部に接触開始した状態を示す図、図８（Ｃ）は、電池蓋閉鎖状態を示す図
【図９】図７のカメラの電池収納室防水構造にて電池蓋閉鎖過程におけるガイド凸部の図７の辺部断面Ｂ21−Ｂ21と防水パッキンの図４の辺部断面Ｂ′2−Ｂ′2を示す図であって、図９（Ａ）は、電池蓋閉鎖前の状態を示す図、図９（Ｂ）は、電池蓋閉鎖状態を示す図
【図１０】本発明の第三の実施形態であるカメラの電池収納室防水構造における図２と同等のＹ0方向矢視相当の電池収納室開口部まわりの形状を示す図
【図１１】図１０のカメラの電池収納室防水構造にて電池蓋閉鎖過程におけるガイド凸部の図１０の断面Ｂ32−Ｂ32と防水パッキンの図４の断面Ｂ′3−Ｂ′3を示す図であって、図１１（Ａ）は、電池蓋閉鎖前の状態を示す図、図１１（Ｂ）は、防水パッキンがガイド凸部に接触開始した状態を示す図、図１１（Ｃ）は、電池蓋閉鎖状態を示す図
【図１２】本発明の第四の実施形態であるカメラの電池収納室防水構造における図２と同等のＹ0方向矢視相当の電池収納室開口部まわりの形状を示す図
【図１３】図１２のカメラの電池収納室防水構造にて電池蓋閉鎖過程におけるガイド凸部の図１２の断面Ｂ13−Ｂ13，Ｂ23−Ｂ23，Ｂ33−Ｂ33と防水パッキンの図４の断面Ｂ′1−Ｂ′1，Ｂ′2−Ｂ′2，断面Ｂ′3−Ｂ′3を示す図であって、図１３（Ａ）は、電池蓋閉鎖前の状態を示す図、図１３（Ｂ）は、防水パッキンがガイド凸部に接触開始した状態を示す図、図１３（Ｃ）は、電池蓋閉鎖状態を示す図
【図１４】本発明の第五の実施形態であるカメラの電池収納室防水構造における図２と同等のＹ0方向矢視相当の電池収納室開口部まわりの形状を示す図
【図１５】図１２のデジタルカメラにて電池蓋閉鎖過程におけるガイド凸部の図１４の断面Ｂ14−Ｂ14，Ｂ24−Ｂ24，Ｂ34−Ｂ34と防水パッキンの図４の断面Ｂ′1−Ｂ′1，Ｂ′2−Ｂ′2，Ｂ′3−Ｂ′3を示す図であって、図１５（Ａ）は、電池蓋閉鎖前の状態を示す図、図１５（Ｂ）は、防水パッキンがガイド凸部に接触開始した状態を示す図、図１５（Ｃ）は、電池蓋閉鎖状態を示す図
【図１６】本発明の第六の実施形態であるカメラの電池収納室防水構造における電池蓋閉鎖過程におけるガイド凸部と防水パッキンの辺部断面および隅部断面を示す図であって、図１６（Ａ）は、電池蓋閉鎖前の状態を示す図、図１６（Ｂ）は、防水パッキンがガイド凸部に接触開始した状態を示す図、図１６（Ｃ）は、電池蓋閉鎖状態を示す図
【図１７】従来の防水機器における閉鎖状態におけるパッキン部材まわりの断面図
【図１８】図1８の防水機器に適用されるパッキン部材の断面図
【図１９】図1７のＥ−Ｅ断面図
【発明を実施するための最良の形態】
【００１３】
以下、本発明の実施形態について、図を用いて説明する。
【００１４】
本発明の一実施形態である防水機器としてのデジタルカメラ（以下、カメラと記載する）１は、図１に示すように撮影光学系、撮像素子を含む撮像部、撮像制御部を内蔵し、防水構造を有する防水機器本体であるカメラ本体２を備えており、カメラ本体２には、その前面部に撮影窓３、ストロボ窓４が配され、カメラ本体２の背面から見て左下方部にアクセサリとしての電池１１が挿入される凹部としての電池収納室２ａが設けられている。
【００１５】
なお、以下の説明において、カメラ１の通常の撮影保持状態において、上記撮影光学系の撮影光軸Ｏと平行な方向をＺ方向（前後方向）とし、Ｚ方向に対してそれぞれ直交する方向であって、被写体側である前面側から見て左右方向をＸ方向とし、上下方向をＹ方向とし、特に電池収納室２ａに向かう上方向をＹ0方向とし、下方向を−Ｙ0方向とする。
【００１６】
電池収納室２ａには口元に開口部２ｂが配されており、該開口部２ｂを開閉する蓋部材である電池蓋５がＺ方向に沿った回動軸６を介してカメラ本体２に回動可能に支持されている。電池蓋５には、開口部２ｂを覆って水密的に密閉するための防水シール部材である防水パッキン７が装着されている。
【００１７】
電池１１は、電池蓋５が開放状態にあるとき、開口部２ｂから電池収納室２ａにＹ0方向に挿入される。電池挿入後、図２に示すように電池蓋５を閉じ、電池収納室２ａを密封状態とする。
【００１８】
電池収納室２ａの開口部２ｂは、図３，７に示すように矩形状開口部であり、開口部２ｂの近傍（周辺）に誘導凸部としての枠状のガイド凸部２ｄが設けられ、該ガイド凸部の外周はＸＺ平面に沿った当接面である当接平面部２ｃとなっている。
【００１９】
ガイド凸部２ｄは、上記口元を囲む環状であって矩形枠状に形成され、該ガイド凸部の辺部２ｄ1,２ｄ2は、辺部に対して直角な断面が半径Ｒ0の円筒面部からなり、隅部２ｄ3は、同一半径Ｒ0の球面部からなる。
【００２０】
防水パッキン７は、シリコンゴム等からなり、図４，５に示すように環状の矩形枠形状を有し、電池蓋５の裏面５ａ側の溝５ｂに嵌入固着されている。
【００２１】
防水パッキン７の枠部の辺部に直角、かつ、電池蓋裏面５ａに対して直角な直交断面形状は、電池収納室２ａの開口部２ｂに向けて（Ｙ0方向に向けて）延びるリブ形状であり、開口部２ｂの周りを囲む壁である内壁面７ｄを有し、リブの自由端側の先端部７ｂは、上記直交断面における曲げの中立面７ｃの根元部７ａに対して枠外方側に偏倚量εだけ偏っている。内壁面７ｄは、先端部７ｂ側が枠外側に反った曲面となっている。
【００２２】
電池収納室２ａに対して電池蓋５が閉じられる状態で防水パッキン７の内壁面７ｄがガイド凸部２ｄの領域内に位置するように防水パッキン７のＸ方向の枠内幅Ｌ4、Ｚ方向の枠内幅Ｌ3は、ガイド凸部２ｄのＸ方向全幅Ｌ2、Ｚ方向全幅Ｌ1より小さい寸法とする。
【００２３】
なお、上記直交断面は、図４において辺部７ｄ1,７ｄ2の断面Ｂ′1−Ｂ′1,Ｂ′2−Ｂ′2、四隅部７ｄ3の断面Ｂ′3−Ｂ′3であり、図３においては、辺部断面Ｂ1−Ｂ1，Ｂ2−Ｂ2，隅部断面Ｂ3−Ｂ3である。
【００２４】
上述した構成を有するカメラ１にて電池収納室２ａを電池蓋５によって閉鎖するときの防水パッキン７の変形状態について、図６を用いて説明する。
【００２５】
電池蓋５を閉じ方向に回動させると、防水パッキン７は、図６（Ａ）に示すように電池収納室２ａの開口部２ｂに向けてＹ0方向から接近する。さらに、電池蓋５を回動させると、図６（Ｂ）に示すように、ガイド凸部２ｄの半径Ｒ0の当接面に防水パッキン７の内壁面７ｄが面部分である内周接触線Ｐ0にて当接する。この内周接触線Ｐ0は、防水パッキン７の内壁面７ｄ上、根元部７ａから先端部７ｂまでの間に位置する。なお、防水パッキン７が当接後、先端部７ｂが隅部を含み全周で均一の状態で外方に広がるために内周接触線Ｐ0のＹ方向位置が一定となるように防水パッキン７の枠幅や隅部内側半径Ｒ1（図４）等が設定されている。
【００２６】
さらに、電池蓋５を閉じ方向に回動させると、防水パッキン７の内周接触線Ｐ0上の当接面部分がガイド凸部２ｄによる押圧力Ｆ0（図６（Ｂ））を受け、押圧力Ｆ0の枠外方向の成分によって先端部７ｂが枠外方へ誘導され、辺部７ｄ1，７ｄ2および隅部７ｄ3が外方に広げられる。続いて、全周の先端部７ｂが当接平面部２ｃに当接する状態になると、先端部７ｂの当接平面部２ｃとの摩擦力に抗して上記押圧力Ｆ0の枠外方向成分によりさらに先端部７ｂが枠外方へ変位する。
【００２７】
電池蓋５が完全閉鎖位置まで回動すると、図６（Ｃ）に示すように防水パッキン７は、先端部７ｂの近傍の内壁面７ｄが当接平面部２ｃにほぼ均一に圧接する状態になり、開口部２ｂが水密的に密閉される。
【００２８】
以上、説明したように本実施形態のカメラ１によると、電池収納室２ａの開口部２ｂの外周にガイド凸部２ｄが配されており、電池蓋５を閉じたとき、防水パッキン７の内壁面７ｄを全周に亘ってガイド凸部２ｄに当接させ、隅部７ｄ3を含む全周の先端部７ｂが外方に誘導される。従って、防水パッキン７の特に隅部７ｄ3を含む全周の先端部７ｂが枠内方側への変位を確実に抑止することができ、良好な水密状態を得ることができる。
【００２９】
本実施形態においては、ガイド凸部２ｄの隅部２ｄ3を球面部で形成したが、これに限らず、球面以外の凸状の曲面部で形成することもできる。
【００３０】
次に本発明の第二の実施形態の防水機器であるカメラの電池収納室の防水構造について、図７〜９を用いて説明する。
【００３１】
本実施形態のカメラは、電池収納室の防水構造以外は、第一の実施形態のカメラ１と同様の構成を有している。従って、電池収納室の防水構造についてのみ説明する。
【００３２】
本実施形態において、カメラ本体２Ａに設けられる電池収納室２ａの開口部２ｂは、図７に示すように矩形状開口部であり、開口部２ｂの口元四辺のうち、Ｚ方向に平行な二辺それぞれにＺ方向に延びる誘導凸部としてのガイド凸部２ｄＡが配され、該ガイド凸部以外の領域、すなわち、該ガイド凸部の外側および開口部２ｂの口元の残りの二辺は、ＸＺ平面に沿った当接面である当接平面部２ｃとなる。
【００３３】
ガイド凸部２ｄＡは、辺部２ｄＡ1と端部２ｄＡ3とからなる。辺部２ｄＡ1は、辺部に対して直角な断面が半径Ｒ0の円筒面部からなり、端部２ｄＡ3は、半径Ｒ0の球面部からなる（図７，８（Ａ））。なお、図７における辺部断面Ｂ11−Ｂ11，Ｂ21−Ｂ21，隅部断面Ｂ31−Ｂ31は、上述した図４の直交断面と同一断面を示す。
【００３４】
また、電池蓋５に装着される枠状の防水シール部材としては、図４，５に示した第一の実施形態で適用したものと同様の防水パッキン７を用いる。
【００３５】
上述した構成を有する本実施形態の電池収納室の防水構造にて電池収納室２ａを電池蓋５によって閉鎖するときの防水パッキン７の変形状態について、図８，９を用いて説明する。
【００３６】
電池蓋５を閉じ方向に回動させた場合、防水パッキン７の辺部７ｄ1および隅部７ｄ3とガイド凸部２ｄＡとは、図８（Ａ），（Ｂ），（Ｃ）に示すように前述した第一の実施形態の場合と同様の状態で防水パッキン７が変形する。一方、防水パッキン７の辺部７ｄ2は、図９（Ｂ）に示すように開口部２ｂの近傍の当接平面部２ｃに直接、当接するが、先端部７ｂが外側に偏倚していることから枠外方に向けて変位する。電池蓋５が完全閉鎖位置に達すると、防水パッキン７の辺部７ｄ1，７ｄ2，隅部７ｄ3の各先端部７ｂが全周が枠の外方に変位し、当接平面部２ｃに圧接した状態になり、開口部２ｂが水密的に密閉された状態となる。
【００３７】
以上、説明したように本実施形態の電池収納室防水構造によると、電池収納室２ａの開口部２ｂの口元四辺のうち、Ｚ方向に平行な二辺それぞれにガイド凸部２ｄＡを設け、電池蓋５を閉じたとき、確実に防水パッキン７の辺部７ｄ1と隅部７ｄ3の先端部７ｂが確実に枠外方向に変位した後、当接平面部２ｃに当接する。一方、防水パッキン７の辺部７ｄ2の先端部７ｂは、直接、当接平面部２ｃに当接することになるが、該先端部が外側に偏倚しているので枠外方に向けて変位する。従って、防水パッキン７の全周の先端部７ｂを枠外方に変位させ、開口部２ｂを確実に密閉することができる。
【００３８】
次に本発明の第三の実施形態の防水機器であるカメラの電池収納室の防水構造について、図１０〜１１を用いて説明する。
【００３９】
本実施形態のカメラは、電池収納室の防水構造以外は、第一の実施形態のカメラ１と同様の構成を有している。従って、電池収納室の防水構造についてのみ説明する。
【００４０】
本実施形態におけるカメラ本体２Ｂに配される電池収納室２ａの開口部２ｂの口元には、図１０に示すように開口部２ｂ近傍の四隅部にのみ誘導凸部としてのガイド凸部２ｄＢが配されている。開口部２ｂの辺部と該ガイド凸部の外側は、ＸＺ平面に沿った当接面である当接平面部２ｃとなっている。
【００４１】
ガイド凸部２ｄＢは、図１０，１１（Ａ）に示すように半径Ｒ0の球面部からなる。なお、図１０における辺部断面Ｂ12−Ｂ12，Ｂ22−Ｂ22，隅部断面Ｂ32−Ｂ32は、上述した図４の直交断面と同一断面を示す。
【００４２】
また、電池蓋５に装着される枠状の防水シール部材としては、図４，５に示した第一の実施形態で適用したものと同様の防水パッキン７を用いる。
【００４３】
上述した構成を有する本実施形態の電池収納室の防水構造にて電池収納室２ａを電池蓋５によって閉鎖するときの防水パッキン７の変形状態について、図１１を用いて説明する。
【００４４】
電池蓋５を閉じ方向に回動させた場合、防水パッキン７の隅部７ｄ3とガイド凸部２ｄＢとの当接状態は、図１１に示すように前述した第一の実施形態の場合と同様に防水パッキン７が変形する。一方、防水パッキン７の辺部７ｄ1，７ｄ2は、図９に示した第二の実施形態の場合と同様に開口部２ｂの口元の当接平面部２ｃに直接、当接するが、先端部７ｂが外側に偏倚していることから枠外方に向けて変位する。電池蓋５が完全閉鎖位置に達すると、防水パッキン７の辺部７ｄ1，７ｄ2，隅部７ｄ3の各先端部７ｂが全周が枠の外方に変位し、当接平面部２ｃに圧接した状態になり、開口部２ｂが水密的に密閉された状態となる。
【００４５】
以上、説明したように本実施形態の防水構造によると、電池収納室２ａの開口部２ｂの四隅部にガイド凸部２ｄＢを設けるのみで、電池蓋５の閉鎖状態で防水パッキン７の特に隅部の先端部を確実に枠外方向に変位させることができ、開口部２ｂを確実に密閉することができる。
【００４６】
次に本発明の第四の実施形態の防水機器であるカメラの電池収納室の防水構造について、図１２，１３を用いて説明する。
【００４７】
本実施形態のカメラは、電池収納室の防水構造以外は、第一の実施形態のカメラ１と同様の構成を有している。従って、電池収納室の防水構造についてのみ説明する。
【００４８】
本実施形態において、カメラ本体２Ｃに配される電池収納室２ａの開口部２ｂは、図１２に示すように矩形状開口部であり、開口部２ｂ近傍に誘導凸部としての枠状のガイド凸部２ｄＣが設けられ、該ガイド凸部の外周は、ＸＺ平面に沿った当接面である当接平面部２ｃとなる。
【００４９】
ガイド凸部２ｄＣは、上記開口部を囲むように環状であって矩形枠状に形成され、該ガイド凸部の辺部２ｄＣ1,２ｄＣ2は、Ｙ0 方向に枠の外側に所定角度で傾斜する傾斜面部からなり、該ガイド凸部の隅部２ｄＣ3は、上記所定角度の傾斜面をなし、下底半径Ｒ03の部分円錐台部からなる（図１２，１３（Ａ））。なお、図１２における辺部断面Ｂ13−Ｂ13，Ｂ23−Ｂ23，隅部断面Ｂ33−Ｂ33は、上述した図４の直交断面と同一断面を示す。
【００５０】
また、電池蓋５にに装着される枠状の防水シール部材としては、図４，５に示した第一の実施形態で適用したものと同様の防水パッキン７を用いる。
【００５１】
電池収納室２ａに対して電池蓋５が閉じられる状態で防水パッキン７の内壁面７ｄがガイド凸部２ｄＣの傾斜面領域内に位置するように防水パッキン７のＸ方向の枠内幅Ｌ4、Ｚ方向の枠内幅Ｌ3は、ガイド凸部２ｄＣのＸ方向全幅Ｌ23、Ｚ方向全幅Ｌ13より小さい寸法とする。
【００５２】
上述した構成を有する本実施形態の電池収納室の防水構造にて電池収納室２ａを電池蓋５によって閉鎖するときの防水パッキン７の変形状態について、図１３を用いて説明する。
【００５３】
電池蓋５を閉じ方向に回動させると、図１３（Ａ）に示すように防水パッキン７が電池収納室２ａの開口部２ｂに向けてＹ0方向から接近する。さらに、電池蓋５を回動させると、図１３（Ｂ）に示すように、ガイド凸部２ｄＣの傾斜面に防水パッキン７の内壁面７ｄが面部分である内周接触線Ｐ3にて当接する。この内周接触線Ｐ3は、防水パッキン７の内壁面７ｄ上、根元部７ａから先端部７ｂまでの間に位置する。なお、防水パッキン７が当接後、先端部７ｂが隅部を含み全周で均一の状態で外方に広がるために内周接触線Ｐ3のＹ方向位置が一定となるように防水パッキン７の全幅寸法、隅部内側半径Ｒ1（図４）等が設定されている。
【００５４】
さらに、電池蓋５を閉じ方向に回動させると、防水パッキン７の内周接触線Ｐ3上の当接面部分がガイド凸部２ｄＣによる押圧力Ｆ3（図１３（Ｂ））を受け、押圧力Ｆ3の枠外方向の成分によって先端部７ｂが枠外方への誘導され、辺部２ｄＣ1,２ｄＣ2および隅部２ｄＣ3が外方に広げられる。その後、全周の先端部７ｂが当接平面部２ｃに当接する状態になると、先端部７ｂの当接平面部２ｃとの摩擦力に抗して上記押圧力Ｆ3の枠外方向成分によりさらに先端部７ｂが枠外方へ変位する。
【００５５】
電池蓋５が完全閉鎖位置まで回動すると、図１３（Ｃ）に示すように防水パッキン７は、先端部７ｂの近傍の内壁面７ｄが当接平面部２ｃにほぼ均一に圧接する状態になり、開口部２ｂが水密的に密閉される。
【００５６】
以上、説明したように本実施形態の防水構造によると、電池収納室２ａの開口部２ｂ近傍に傾斜面を持つガイド凸部２ｄＣを設けることによって、電池蓋５を閉じたとき、防水パッキン７の内壁面７ｄを全周に亘ってガイド凸部２ｄＣに当接させることで隅部７ｄ3を含む全周の先端部７ｂを外方に誘導することができ、良好な水密状態を得ることができる。
【００５７】
次に本発明の第五の実施形態の防水機器であるカメラの電池収納室の防水構造について、図１４，１５を用いて説明する。
【００５８】
本実施形態のカメラは、電池収納室の防水構造以外は、第一の実施形態のカメラ１と同様の構成を有している。従って、電池収納室の防水構造についてのみ説明する。
【００５９】
本実施形態において、カメラ本体２Ｄに配される電池収納室２ａの開口部２ｂは、図１４に示すように矩形状開口部であり、開口部２ｂ近傍に誘導凸部としての枠状のガイド凸部２ｄＤが設けられ、該ガイド凸部の外周は、ＸＺ平面に沿った当接面である当接平面部２ｃとなる。
【００６０】
ガイド凸部２ｄＤは、上記開口部を囲んだ環状であって矩形枠状に形成され、該ガイド凸部の辺部２ｄＤ1,２ｄＤ2は、凹曲面部からなり、該ガイド凸部の隅部２ｄＤ3は、下底半径Ｒ04とする上記辺部の凹曲面断面の回転体表面部からなる（図１４，１５（Ａ））。なお、図１４における辺部断面Ｂ14−Ｂ14，Ｂ24−Ｂ24，隅部断面Ｂ34−Ｂ34は、上述した図４の直交断面と同一断面を示す。
【００６１】
また、電池蓋５にに装着される枠状の防水シール部材としては、図４，５に示した第一の実施形態で適用したものと同様の防水パッキン７を用いる。
【００６２】
電池収納室２ａに対して電池蓋５が閉じられる状態で防水パッキン７の内壁面７ｄがガイド凸部２ｄＤの凹曲面領域内に位置するように防水パッキン７のＸ方向の枠内幅Ｌ4、Ｚ方向の枠内幅Ｌ3は、ガイド凸部２ｄＤのＸ方向全幅、Ｚ方向全幅より小さい寸法とする。
【００６３】
上述した構成を有する本実施形態の電池収納室の防水構造にて電池収納室２ａを電池蓋５によって閉鎖するときの防水パッキン７の変形状態について、図１５を用いて説明する。
【００６４】
電池蓋５を閉じ方向に回動させると、図１５（Ａ）に示すように防水パッキン７が電池収納室２ａの開口部２ｂに向けてＹ0方向から接近する。さらに、電池蓋５を回動させると、図１５（Ｂ）に示すように、ガイド凸部２ｄＤの凹曲面部に防水パッキン７の内壁面７ｄが面部分である内周接触線Ｐ4にて当接する。この内周接触線Ｐ4は、防水パッキン７の内壁面７ｄ上、先端部７ｂ近傍に位置する。なお、防水パッキン７が当接後、先端部７ｂが隅部を含み全周で均一の状態で外方に広がるために内周接触線Ｐ4のＹ方向位置が一定となるように防水パッキン７の全幅寸法、隅部内側半径Ｒ1（図４）等が設定されている。
【００６５】
さらに、電池蓋５を閉じ方向に回動させると、防水パッキン７の先端部近傍の当接部分がガイド凸部２ｄＤによる押圧力Ｆ4（図１５（Ｂ））を受け、ガイド凸部２ｄＤの凹曲面部との摩擦力に抗して押圧力Ｆ4の枠外方向の成分によって枠外方への誘導され、外方に変位する。
【００６６】
電池蓋５が完全閉鎖位置まで回動すると、図１５（Ｃ）に示すように防水パッキン７の全周の先端部７ｂ近傍の当接部分がガイド凸部２ｄＤの凹曲面部から当接平面部２ｃに移り、当接平面部２ｃにほぼ均一に圧接する状態になり、開口部２ｂが水密的に密閉される。
【００６７】
以上、説明したように本実施形態の防水構造によると、電池収納室２ａの開口部２ｂの外周に凹曲面を持つガイド凸部２ｄＤを設けることによって、電池蓋５を閉じたとき、防水パッキン７の先端部近傍の内壁面７ｄを全周に亘ってガイド凸部２ｄＤに当接させることで隅部７ｄ3を含む全周の先端部７ｂを外方に誘導することができ、良好な水密状態を得ることができる。
【００６８】
次に本発明の第六の実施形態の防水機器であるカメラの電池収納室の防水構造について、図１６を用いて説明する。
【００６９】
本実施形態のカメラは、電池収納室の防水構造以外は、第一の実施形態のカメラ１と同様の構成を有している。従って、電池収納室の防水構造についてのみ説明する。
【００７０】
本実施形態において、カメラ本体２Ｅに配される電池収納室２ａの開口部２ｂは、図１６に示すように矩形状開口部であり、開口部２ｂ近傍に誘導凸部としての枠状のガイド凸部２ｄＥが設けられ、該ガイド凸部の外周は、ＸＺ平面に沿った当接面である当接平面部２ｃとなる。
【００７１】
ガイド凸部２ｄＥは、上記開口部を囲む環状であって矩形枠状に形成され、Ｙ0 方向に向けて枠外側へ傾斜する傾斜面を有し、根元部に逃げ部２ｄＥａが設けられている。
【００７２】
また、電池蓋５の裏面５ａに装着される枠状の防水シール部材としての防水パッキン７Ｅは、該防水パッキンの枠部および電池蓋裏面５ａに対して直角な直交断面形状として、電池収納室２ａの開口部２ｂに向けて（Ｙ0方向に向けて）延びるリブ形状を有しており、開口部２ｂの周りを囲む壁であって、枠内側へ膨らむ凸面をもつ内壁面７ｄＥを有し、リブの自由端側の先端部７ｂＥは、上記直交断面における曲げの中立面７ｃＥの根元部７ａＥに対して枠外方側に偏っている。
【００７３】
上述した構成を有する本実施形態の電池収納室の防水構造にて電池収納室２ａを電池蓋５によって閉鎖するときの防水パッキン７Ｅの変形状態について、図１６を用いて説明する。
【００７４】
電池蓋５を閉じ方向に回動させると、図１６（Ａ）に示すように防水パッキン７Ｅが電池収納室２ａの開口部２ｂに向けてＹ0方向から接近する。さらに、電池蓋５を回動させると、図１６（Ｂ）に示すように、ガイド凸部２ｄＥの傾斜面部に防水パッキン７Ｅの内壁面７ｄＥが面部分である凸状部上にある内周接触線Ｐ5にて当接する。この内周接触線Ｐ5は、防水パッキン７Ｅの内壁面７ｄＥ上、根元部７ａＥから先端部７ｂＥまでの間に位置する。なお、防水パッキン７が当接後、先端部７ｂＥが隅部を含み全周で均一の状態で外方に広がるために内周接触線Ｐ5のＹ方向の位置が一定となるように防水パッキン７Ｅの全幅、隅部内側半径等が設定されている。
【００７５】
さらに、電池蓋５を閉じ方向に回動させると、防水パッキン７Ｅの内周接触線Ｐ5上の当接面部分がガイド凸部２ｄＥの傾斜面による押圧力Ｆ5（図１６（Ｂ））を受け、押圧力Ｆ5の枠外方向の成分によって先端部７ｂＥが枠外方への誘導され、防水パッキン７Ｅの辺部および隅部が外方に広げられる。その後、全周の先端部７ｂＥが当接平面部２ｃに当接する状態になると、防水パッキン７Ｅの内壁面７ｄＥは、ガイド凸部２ｄＥに逃げ部２ｄＥａが設けられているため、ガイド凸部２ｄＥと非接触状態となる（図１６（Ｃ））。
【００７６】
電池蓋５が完全閉鎖位置まで回動すると、防水パッキン７Ｅは、先端部７ｂＥの近傍の内壁面７ｄＥのみが当接平面部２ｃに圧接する状態になり、開口部２ｂが水密的に密閉される。
【００７７】
以上、説明したように本実施形態の防水構造によると、電池収納室２ａの開口部２ｂの外周に傾斜面と逃げ部を持つガイド凸部２ｄＥを設け、防水パッキン７Ｅの内壁面７ｄＥを枠内側に膨らむ凸面としたので、防水パッキン７Ｅの全周の先端部７ｂＥを枠外方側に変位させるとともに、電池蓋５が完全閉鎖位置に達したとき、防水パッキン７Ｅをガイド凸部２ｄＥに当接しない状態で開口部２ｂの当接平面部２ｃにのみ当接させ、良好な水密状態を得ることができる。
【００７８】
上述した各実施形態において適用した防水パッキン７，７Ｅは、その先端部７ｂ，７ｂＥが曲げの中立面７ｃ，７ｃＥの根元部７ａ，７ａＥに対して枠外方側に偏倚しており、先端部７ｂ，７ｂＥの枠外周方向への変位が容易に行えるものであった。しかし、第二、三の実施形態を除いた他の実施形態の場合、防水パッキンの先端部の偏倚は、必ずしも必要ではなく、先端部が偏っていない形状の防水パッキンを適用することも可能である。
【００７９】
上述した各実施形態においては、電池蓋５を閉鎖方向に回動したとき、まず、防水パッキン７，７Ｅの内壁面７ｄ，７ｄＥがそれぞれガイド凸部２ｄ，２ｄＡ，２ｄＢ，２ｄＣ，２ｄＤ，２ｄＥに当接（接触）し、その後、先端部７ｂ，７ｂＥが開口部２ｂの当接平面部２ｃに当接（接触）するようになっているが、これに限らず、上記内壁面と上記枠状凸部との当接（接触）と同時に上記先端部が上記当接平面部に当接（接触）するような構成としても同様の効果が得られる。
【００８０】
また、上述した各実施形態においては、電池収納室２ａの開口部２ｂを防水するための防水構造を例としたが、上述した防水構造は、凹部としてのメモリカード等の記憶媒体収納室、あるいは、外部コネクタ接続部を収納する収納部を密閉するための防水構造に対しても適用することができる。
【００８１】
さらに、上述した各実施形態においては、ガイド凸部２ｄ，２ｄＡ，２ｄＢ，２ｄＣ，２ｄＤ，２ｄＥが電池収納室２ａの開口部２ｂ周りに配され、防水パッキン７，７Ｅが電池蓋５側に支持されているが、逆にガイド凸部を電池蓋５側に設け、防水パッキンを電池収納室の開口部２ｂの周囲で保持するような防水構造にすることも可能である。
【００８２】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００８３】
本発明の防水機器は、より確実な防水機能を有する防水機器として利用が可能である。
【符号の説明】
【００８４】
２…カメラ本体（機器本体）
２ａ…電池収納室（凹部）
２ｂ…開口部（凹部の口元）
２ｃ…当接平面部（当接面）
２ｄ，２ｄＡ，２ｄＢ，２ｄＣ，２ｄＤ，２ｄＥ…ガイド凸部（誘導凸部）
５…電池蓋（蓋部材）
７…防水パッキン（防水シール部材）
７ａ，７ａＥ…根元部（防水シール部材の根元部）
７ｂ，７ｂＥ…先端部（自由端先端）
７ｄ，７ｄＥ…内壁面（凹部周りを囲う壁の壁面）
Ｂ′1−Ｂ′1，Ｂ′2−Ｂ′2，Ｂ′3−Ｂ′3
…直交断面（蓋部材の裏面および壁の壁面に直交する断面）
Ｐ0，Ｐ3，Ｐ4，Ｐ5…内周接触線（先端から根元の間の面部分）
【図１】
2011187653.tif 000003
【図２】
2011187653.tif 000004
【図３】
2011187653.tif 000005
【図４】
2011187653.tif 000006
【図５】
2011187653.tif 000007
【図６】
2011187653.tif 000008
【図７】
2011187653.tif 000009
【図８】
2011187653.tif 000010
【図９】
2011187653.tif 000011
【図１０】
2011187653.tif 000012
【図１１】
2011187653.tif 000013
【図１２】
2011187653.tif 000014
【図１３】
2011187653.tif 000015
【図１４】
2011187653.tif 000016
【図１５】
2011187653.tif 000017
【図１６】
2011187653.tif 000018
【図１７】
2011187653.tif 000019
【図１８】
2011187653.tif 000020
【図１９】
2011187653.tif 000021